(57)【特許請求の範囲】
【請求項１】
複数個の第１のコイルスプリングを林立配置した第１のコイルスプリング層の上方に複数個の第２のコイルスプリングを林立配置した第２のコイルスプリング層を形成したマットレスにおいて、
前記第１のコイルスプリング層における第１のコイルスプリングの配列と、前記第２のコイルスプリング層における第２のコイルスプリングの配列とを異ならせ、
前記第１のコイルスプリング層を構成する第１のコイルスプリングを交互配列で配列する一方、第２のコイルスプリング層を構成する第２のコイルスプリングを平行配列で配列するように構成し、
前記第１のコイルスプリング層を構成する第１のコイルスプリングの縦方向の間隔や横方向の間隔が第２のコイルスプリング層を構成する第２のコイルスプリングの縦方向の間隔や横方向の間隔の整数倍とならないようにし、
前記第１のコイルスプリング層を構成する第１のコイルスプリングの個数を前記第２のコイルスプリング層を構成する第２のコイルスプリングの個数よりも多くしたことを特徴とするマットレス。
【請求項２】
前記第１のコイルスプリング層を構成する第１のコイルスプリングのコイル径を前記第２のコイルスプリング層を構成する第２のコイルスプリングのコイル径よりも大きくしたことを特徴とする請求項１に記載のマットレス。
【発明の詳細な説明】
【技術分野】
【０００１】
本発明は、マットレスに関するものである。
【背景技術】
【０００２】
従来のマットレスは、複数個のコイルスプリングを林立配置させることによってコイルスプリング層を形成するとともに、コイルスプリング層の上下に内装材を敷設し、これらのコイルスプリング層と上下の内装材とを袋状の外装材で被覆して構成していた（たとえば、特許文献１参照。）。
【０００３】
そして、従来のマットレスでは、商品ごとにコイルスプリング層を形成するコイルスプリングのコイル径や個数や配列や種類などを異ならせることによって、横臥者の背中で感じ取られる寝心地を変化させるようにしていた。
【０００４】
また、従来のマットレスでは、表面側と裏面側とで硬さの異なるコイルスプリングを用いてコイルスプリング層を形成し、表裏を反転させることで硬さの異なるマットレスとするようにしたものも考えられている（たとえば、特許文献２参照。）。
【先行技術文献】
【特許文献】
【０００５】
【特許文献１】特開平１０−１６５２６１号公報
【特許文献１】特開平８−６６２７５号公報
【発明の概要】
【発明が解決しようとする課題】
【０００６】
ところが、上記特許文献１に開示された従来のマットレスでは、複数個林立配置させた１種類のコイルスプリングによってコイルスプリング層を形成していたために、コイルスプリング層を形成する１種類のコイルスプリングだけで横臥者を支持しており、あらゆる荷重を１種類のコイルスプリングだけで支持する構造となっていた。
【０００７】
そのため、上記特許文献１に開示された従来のマットレスでは、寝心地が単調であるばかりでなく、コイルスプリングの消耗（へたり）が早く、マットレスの寿命が短いものとなっていた。
【０００８】
これは、上記特許文献２に開示された従来のマットレスでも同様であり、表裏で異なる硬さのコイルスプリングを用いているものの、表裏のコイルスプリング相互の関連が全く無く、単に表裏を反転させて両面側とも使用できるようにしているだけであった。
【０００９】
そのため、上記特許文献１に開示された従来のマットレスでは、使用時には上側に位置するコイルスプリングだけで横臥者を支持することになり、あらゆる荷重を上側に位置する１種類のコイルスプリングだけで支持する構造となっており、寝心地が単調であるばかりでなく、コイルスプリングの消耗（へたり）が早く、マットレスの寿命が短いものとなっていた。
【課題を解決するための手段】
【００１０】
そこで、請求項１に係る本発明では、複数個の第１のコイルスプリングを林立配置した第１のコイルスプリング層の上方に複数個の第２のコイルスプリングを林立配置した第２のコイルスプリング層を形成したマットレスにおいて、前記第１のコイルスプリング層における第１のコイルスプリングの配列と、前記第２のコイルスプリング層における第２のコイルスプリングの配列とを異ならせ、前記第１のコイルスプリング層を構成する第１のコイルスプリングを交互配列で配列する一方、第２のコイルスプリング層を構成する第２のコイルスプリングを平行配列で配列するように構成し、前記第１のコイルスプリング層を構成する第１のコイルスプリングの縦方向の間隔や横方向の間隔が第２のコイルスプリング層を構成する第２のコイルスプリングの縦方向の間隔や横方向の間隔の整数倍とならないようにし、前記第１のコイルスプリング層を構成する第１のコイルスプリングの個数を前記第２のコイルスプリング層を構成する第２のコイルスプリングの個数よりも多くした。
【００１１】
また、請求項２に係る本発明では、前記請求項１に係る本発明において、前記第１のコイルスプリング層を構成する第１のコイルスプリングのコイル径を前記第２のコイルスプリング層を構成する第２のコイルスプリングのコイル径よりも大きくした。
【発明の効果】
【００１３】
そして、本発明では、以下に記載する効果を奏する。
【００１４】
すなわち、本発明では、第１のコイルスプリングと第２のコイルスプリングとで荷重が分担されることになり、それぞれのコイルスプリングの負担が軽減されて消耗（へたり）が少なくなり、マットレスの寿命を長くすることができる。
【００１５】
また、本発明では、第１のコイルスプリング層で横臥者の体重に応じて全体的に緩やかに撓んだ形状とするとともに、第２のコイルスプリング層で横臥者の体型に応じて部分的に変形した形状となり、横臥者を包み込むような良好な寝心地を横臥者に対して与えるマットレスとすることができる。
【００１６】
さらに、本発明では、横臥者の好みに応じた寝心地のマットレスとすることができる。
【図面の簡単な説明】
【００１７】
【図１】マットレスを示す一部切欠断面斜視図。
【図２】同部分拡大図。
【図３】マットレスの内部を示す斜視透視図。
【図４】第１及び第２のコイルスプリングの配列、間隔を示す説明図。
【発明を実施するための形態】
【００１８】
以下に、本発明に係るマットレスの具体的な構成について図面を参照しながら説明する。
【００１９】
図１〜図４に示すように、マットレス１は、布製の矩形箱型袋状の外装材２の内部に底側から順に、下側内装材層３、第１のコイルスプリング層４、中間緩衝層５、第２のコイルスプリング層６、上側内装材層７を積層して収容している。
【００２０】
そして、下側内装材層３、中間緩衝層５、上側内装材層７は、フエルトやウレタンフォームなどの各種の内装材を１枚又は複数枚重ねて形成している。なお、下側内装材層３は、マットレス１の柔軟性に応じて適宜形成し、場合によっては形成しないでもよい。
【００２１】
第１のコイルスプリング層４は、同一平面状に複数個の第１のコイルスプリング８を林立配置させることによって形成しており、第２のコイルスプリング層６は、同一平面状に複数個の第２のコイルスプリング９を林立配置させることによって形成している。
【００２２】
そして、第１のコイルスプリング層４を構成する第１のコイルスプリング８は、第２のコイルスプリング層６を構成する第２のコイルスプリング９よりも、コイル径が大きく、個数が少なくなるようにしている。なお、第１のコイルスプリング８と第２のコイルスプリング９とを同じコイル径で同じ個数用いてもよく、また、第１のコイルスプリング８を第２のコイルスプリング９よりもコイル径が小さく、個数が多くなるようにしてもよい。
【００２３】
このように、上記マットレス１では、第１のコイルスプリング８よりも第２のコイルスプリング９のコイル径を小さくするとともに、第１のコイルスプリング８よりも第２のコイルスプリング９の個数を多くし、第１のコイルスプリング層４の第１のコイルスプリング８の縦方向の間隔（ピッチPV1）や横方向の間隔（ピッチPH1）よりも第２のコイルスプリング層６の第２のコイルスプリング９の縦方向の間隔（ピッチPV2）や横方向の間隔（ピッチPH2）を狭くしている。なお、第１のコイルスプリング層４の第１のコイルスプリング８の縦方向の間隔（ピッチPV1）や横方向の間隔（ピッチPH1）が第２のコイルスプリング層６の第２のコイルスプリング９の縦方向の間隔（ピッチPV2）や横方向の間隔（ピッチPH2）の整数倍とならないようにして、マットレス１が全体的にランダムに変形するようにして、単調な変形によって寝心地が単調となるのを回避し、自然な寝心地となるようにしている。
【００２４】
また、第１のコイルスプリング層４を構成する第１のコイルスプリング８は、図４(a)に示すように、平行配列で配列しており、一方、第２のコイルスプリング層６を構成する第２のコイルスプリング９は、図４(b)に示すように、交互配列で配列している。なお、第１のコイルスプリング８を交互配列とする一方、第２のコイルスプリング９を平行配列としてもよく、また、第１及び第２のコイルスプリング8,9を両方とも平行配列又は交互配列としてもよい。
【００２５】
また、第１のコイルスプリング層４の形態は、ボンネル型としており、一方、第２のコイルスプリング層６の形態は、ポケットコイル型としている。なお、第１のコイルスプリング層４の形態をポケットコイル型やコージフレックス型などにしてもよく、第２のコイルスプリング層６の形態をボンネル型やコージフレックス型などにしてもよく、第１及び第２のコイルスプリング層4,6の形態を同一形態としてもよい。
【００２６】
また、第１及び第２のコイルスプリング8,9の形状は、両方とも筒型ばね形状としているが、いずれか一方又は両方を鼓型ばね形状や提灯型ばね形状としてもよい。
【００２７】
以上に説明したように、上記マットレス１では、複数個の第１のコイルスプリング８を林立配置した第１のコイルスプリング層４の上方に複数個の第２のコイルスプリング９を林立配置した第２のコイルスプリング層６を形成している。
【００２８】
しかも、上記マットレス１では、第１のコイルスプリング層４と第２のコイルスプリング層６との間に、これら第１及び第２のコイルスプリング層4,6と同一平面積を有する弾性体からなるシート状の中間緩衝層５を形成している。
【００２９】
このように、上記マットレス１では、複数個の第１のコイルスプリング８を林立配置した第１のコイルスプリング層４の上方に複数個の第２のコイルスプリング９を林立配置した第２のコイルスプリング層６を中間緩衝層５を介して形成している。
【００３０】
これにより、上記マットレス１では、横臥者の荷重を第２のコイルスプリング層６で部分的に受けるとともに、第２のコイルスプリング層６で受けた荷重を中間緩衝層５を介して第１のコイルスプリング層４で全面的に受けるように構成している。
【００３１】
そのため、上記マットレス１では、第１及び第２のコイルスプリング層4,6で横臥者を支持することになり、各層4,6ごとの撓み量を少なくすることができ、これにより、各層4,6を構成する第１及び第２のコイルスプリング8,9の寿命を長くすることができて、マットレス１の長寿命化を図ることができる。
【００３２】
また、上記マットレス１では、第１のコイルスプリング層４で横臥者の体重に応じて全体的に緩やかに撓んだ形状とするとともに、第２のコイルスプリング層６で横臥者の体型に応じて部分的に変形した形状となり、横臥者を包み込むような良好な寝心地を横臥者に対して与えるマットレス１とすることができる。
【００３３】
また、上記マットレス１では、第１のコイルスプリング層４における第１のコイルスプリング８のコイル径と、第２のコイルスプリング層６における第２のコイルスプリング９のコイル径とを異ならせている。
【００３４】
そのため、上記マットレス１では、第１及び第２のコイルスプリング8,9のコイル径の多様な組み合わせによって横臥者の好みに応じた寝心地のマットレス１とすることができる。
【００３５】
また、上記マットレス１では、第１のコイルスプリング層４における第１のコイルスプリング８の個数と、第２のコイルスプリング層６における第２のコイルスプリング９の個数とを異ならせている。
【００３６】
そのため、上記マットレス１では、第１及び第２のコイルスプリング8,9の個数の多様な組み合わせによって横臥者の好みに応じた寝心地のマットレス１とすることができる。
【００３７】
特に、上記マットレス１では、第１のコイルスプリング８よりも第２のコイルスプリング９のコイル径を小さくするとともに、第１のコイルスプリング８よりも第２のコイルスプリング９の個数を多くしている。
【００３８】
そのため、上記マットレス１では、比較的大型で個数の少ない第１のコイルスプリング８から構成した第１のコイルスプリング層４において、横臥者の体重に応じて全体的に緩やかに撓んだ形状となるとともに、比較的小型で個数の多い第２のコイルスプリング９から構成した第２のコイルスプリング層６において、横臥者の体型に応じて部分的に変形した形状となり、これにより、横臥者を包み込むような良好な寝心地を横臥者に対して与えるマットレス１とすることができる。
【００３９】
また、上記マットレス１では、第１のコイルスプリング層４における第１のコイルスプリング８の配列（平行配列）と、第２のコイルスプリング層６における第２のコイルスプリング９の配列（交互配列）とを異ならせている。
【００４０】
そのため、上記マットレス１では、第１及び第２のコイルスプリング8,9の配列の多様な組み合わせによって横臥者の好みに応じた寝心地のマットレス１とすることができる。
【００４１】
また、上記マットレス１では、第１のコイルスプリング層４の形態（ボンネル型）と、第２のコイルスプリング層６の形態（ポケットコイル型）とを異ならせている。
【００４２】
そのため、上記マットレス１では、第１及び第２のコイルスプリング層4,6の形態の多様な組み合わせによって横臥者の好みに応じた寝心地のマットレス１とすることができる。
【符号の説明】
【００４３】
１  マットレス
２  外装材
３  下側内装材層
４  第１のコイルスプリング層
５  中間内装材層
６  第２のコイルスプリング層
７  上側内装材層
８  第１のコイルスプリング
９  第２のコイルスプリング
【図１】
0004398508.tif 000002
【図２】
0004398508.tif 000003
【図３】
0004398508.tif 000004
【図４】
0004398508.tif 000005